(57)【特許請求の範囲】
【請求項１】
ピストンが往復動自在に嵌合されたシリンダ孔の周壁面に開口して該ピストンにより開閉される排気ポートを有する排気通路が形成されたシリンダに設けられて、該排気ポートの開閉時期を制御する排気制御弁を備え、該排気制御弁は、前記排気通路内に最も突出した最大突出位置と前記排気通路内で最も後退した後退位置との間で移動自在な弁体を有し、該弁体には、該弁体が前記最大突出位置を占めるとき、前記シリンダ孔に臨んで前記排気ポートの上側ポート部を閉じ、該弁体が前記後退位置を占めるとき、該上側ポート部を開放する制御面が設けられ、該制御面の下縁部は、前記弁体が前記最大突出位置を占めるとき、最も上方に位置する最上部と該最上部よりも下方に位置する下方部とを有すると共に、該排気ポートの開時期を最大遅れ時期に設定し、前記弁体が前記後退位置を占めるとき、前記排気ポートの開時期が最大早め時期に設定される２サイクル内燃機関の排気制御装置において、
前記下縁部は、前記弁体が前記後退位置を占めるとき、前記排気ポートの上縁部と略一致する形状に形成されており、前記弁体には、該弁体が前記最大突出位置を占めるとき、一端部が前記制御面において前記最上部よりも下方に位置する下側制御面部に開口し、他端部が前記排気通路に直接開放する連通路が設けられたことを特徴とする２サイクル内燃機関の排気制御装置。
【請求項２】
前記最上部は前記排気ポートの周方向の中央寄りに位置し、前記連通路は、互いに独立した１対の貫通孔からなる１対の連通路であり、前記一端部は、前記排気ポートの周方向の両側縁部寄りの前記下側制御面部における両周端側縁部の近傍にそれぞれ開口することを特徴とする請求項１記載の２サイクル内燃機関の排気制御装置。
【発明の詳細な説明】
【０００１】
【発明の属する技術分野】
本願発明は、２サイクル内燃機関において、内燃機関の運転状態に応じて排気ポートの開閉時期を制御する排気制御弁を備えた排気制御装置に関する。
【０００２】
【従来の技術】
従来、２サイクル内燃機関では、例えば低回転時等の給気量が少ない運転時における新気の吹き抜け防止や、高回転時等の給気量が多い運転時における高出力を確保するために、排気ポートの開閉時期を変えるようにした排気制御弁を備えた排気制御装置が設けられており、そのような排気制御弁の一例を図６を参照して説明する。
【０００３】
この排気制御弁ａは、ピストンが往復動自在に嵌合されたシリンダ孔ｂの周壁面に開口した１対の排気ポートｃ，ｄを有する排気通路が設けられたシリンダｅに揺動自在に支持される。１対の排気ポートｃ，ｄは、シリンダ孔ｂの周壁において軸方向に延びる補強壁ｆの周方向両側に位置しており、排気制御弁ａは、それら排気ポートｃ，ｄに対応して配置された１対の弁体ｇ，ｈを有する。
【０００４】
１対の弁体ｇ，ｈは、内燃機関の低回転域の所定回転数で図６の実線で示される第１位置を占めて、各弁体ｇ，ｈの制御面ｋ，ｍが各排気ポートｃ，ｄの上側ポート部を閉じるため、排気ポートｃ，ｄの開時期が最も遅くされると共に閉時期が最も早くされて、給気量が少ないときの新気の吹き抜けが抑制されると共に、燃焼安定性が改善される。一方、内燃機関の高回転域の所定回転数で、各弁体ｇ，ｈは、その制御面ｋ，ｍが図６の二点鎖線で示される第２位置を占めて、各制御面ｋ，ｍが前記上側ポート部を開放して、排気ポートｃ，ｄの開時期が最も早くなると共に閉時期が最も遅くされて、給気量が多いときの排気および掃気による既燃ガスと新気とのガス交換が円滑にかつ確実に行われ、高い機関出力が得られる。
【０００５】
【発明が解決しようとする課題】
ところで、各制御面ｋ，ｍの下縁部ｎ，ｐの形状は、各弁体ｇ，ｈが前記第２位置を占めるとき、各排気ポートｃ，ｄの上縁部の形状と略一致するように形成されるため、各弁体ｇ，ｈが前記第１位置を占めるとき、各制御面ｋ，ｍの下縁部ｎ，ｐは、その補強壁ｆ寄りの部分から周方向端部に向かって下方に傾斜している。各弁体ｇ，ｈの前記第２位置で、各下縁部ｎ，ｐが各排気ポートｃ，ｄの上縁部の形状と略一致するようにされるのは、制御面ｋ，ｍの下縁部ｎ，ｐすなわち弁体ｇ，ｈが、排気ポートｃ，ｄの上縁部よりも上方にあって、その間にデッドスペースが形成されると、高回転域での出力特性が悪化して、所期の高出力が得られないからである。このことは、実験により確認されているが、その原因は、デッドスペースに生じる渦の影響により、既燃ガスの円滑な排出が行われなくなるためと考えられる。
【０００６】
そのため、このような下縁部ｎ，ｐを持つ制御面ｋ，ｍを有する各弁体ｇ，ｈが前記第１位置を占めている状態で、ピストンが下縁部ｎ，ｐの中央部よりも下降して、排気ポートｃ，ｄがピストンにより開かれ始めたとき、排気ポートｃ，ｄの周方向の端部は制御面ｋ，ｍにより未だ閉じられており、その後のピストンの下降により、排気ポートｃ，ｄが下縁部ｎ，ｐの中央部から端部に向かって次第に開かれる。
【０００７】
そこで、この従来技術について、発明者らが実験を行ったところ、図５において破線で示される結果が得られた。このグラフは、排気制御弁を備えたアイドル状態にある２サイクル内燃機関に対して、アイドル開度にあるスロットル弁を開弁し始めた直後からの時間の経過に対する燃焼室内の圧力変化を示すもので、同図において、スロットル弁の開弁開始直後から始まる期間Ｔ′では、燃焼室内の圧力が変動幅Ｈ′で大きく変動しており、既燃ガスが必要以上にシリンダ孔ｂ内に残留することに起因する失火と、この失火により残留した未燃焼ガスの、次のサイクルでの燃焼とが、交互に発生する不安定な燃焼、いわゆる不整燃焼が、比較的長い期間に渡って発生していることがわかる。そして、少なくともこの期間Ｔ′の間は、内燃機関の回転数が前記低回転域の所定回転数よりも小さいため、排気制御弁の弁体ｇ，ｈは前記第１位置を占めている。
【０００８】
このように、排気制御弁の弁体ｇ，ｈが前記第１位置を占めているときに不整燃焼が発生するのは、各制御面ｋ，ｍの下縁部ｎ，ｐの形状に起因して、排気ポートｃ，ｄが中央部よりも周方向の端部で遅れて開かれるため、シリンダ孔ｂ内においてこの遅れて開かれる付近では排気および掃気が十分に行われず、結果としてシリンダ孔ｂ内に既燃ガスが必要以上に残留し、不整燃焼が発生し易くなっているためと考えられる。そこで、排気および掃気作用を改善すべく、各制御面ｋ，ｍの両周方向の端部の下方に延びている部分を短くして、排気ポートｃ，ｄの周方向の端部が開かれる時期を早めると、不整燃焼の発生期間は短くなるが、今度は高回転域で弁体ｇ，ｈが前記第２位置を占めたとき、前述のデッドスペースが発生するため、所期の高出力が得られない。
【０００９】
本願発明は、このような事情に鑑みてなされたものであって、排気ポートの開時期が最大遅れ時期を含む遅れ時期に設定されているときの不整燃焼の発生を抑制して、燃焼安定性を改善し、一方、排気ポートの開時期が最大早め時期に設定されるときにも機関の高出力が得られる２サイクル内燃機関の排気制御装置を提供することを目的とする。
【００１０】
【課題を解決するための手段および発明の効果】
本願の請求項１記載の発明は、ピストンが往復動自在に嵌合されたシリンダ孔の周壁面に開口して該ピストンにより開閉される排気ポートを有する排気通路が形成されたシリンダに設けられて、該排気ポートの開閉時期を制御する排気制御弁を備え、該排気制御弁は、前記排気通路内に最も突出した最大突出位置と前記排気通路内で最も後退した後退位置との間で移動自在な弁体を有し、該弁体には、該弁体が前記最大突出位置を占めるとき、前記シリンダ孔に臨んで前記排気ポートの上側ポート部を閉じ、該弁体が前記後退位置を占めるとき、該上側ポート部を開放する制御面が設けられ、該制御面の下縁部は、前記弁体が前記最大突出位置を占めるとき、最も上方に位置する最上部と該最上部よりも下方に位置する下方部とを有すると共に、該排気ポートの開時期を最大遅れ時期に設定し、前記弁体が前記後退位置を占めるとき、前記排気ポートの開時期が最大早め時期に設定される２サイクル内燃機関の排気制御装置において、前記下縁部は、前記弁体が前記後退位置を占めるとき、前記排気ポートの上縁部と略一致する形状に形成されており、前記弁体には、該弁体が前記最大突出位置を占めるとき、一端部が前記制御面において前記最上部よりも下方に位置する下側制御面部に開口し、他端部が前記排気通路に直接開放する連通路が設けられた２サイクル内燃機関の排気制御装置である。
【００１１】
この請求項１記載の発明によれば、排気制御弁の弁体が最大突出位置を占めている状態から排気ポートの上縁部が形成されたシリンダにより連通路の一端部が全閉とされるまでの間であって、排気ポートの開時期が最大遅れ時期を含む遅れ時期に設定されている間は、下側制御面部において連通路の一端部が開口する付近の下縁部の下方部では、下降行程にあるピストンにより、下縁部の最上部での排気ポートの開き時期よりも遅れて排気ポートが開かれる。そのため、シリンダ孔内の、下側制御面部付近に存在する既燃ガスが、連通路を通じて、従来技術に比べて早い時期に、しかも連通路を流れる流量分だけ多く排気通路に直接流出するため、シリンダ孔内で下側制御面部付近で排気作用が改善され、さらに引き続いて行われる掃気作用も改善されて、既燃ガスの残留量が少なくなり、不整燃焼の発生が抑制される。
【００１２】
そして、不整燃焼が生じた場合にも、失火の際にシリンダ孔内に残留する未燃焼ガス（混合気）の量は、連通路から排気通路に流出する分だけ減少するため、次のサイクルにおいて、残留未燃焼ガス量と新たに流入した新気量との合計であるシリンダ孔内に存在する給気量は、従来技術のそれよりも少なくなって、燃焼圧力が低くなるので、不整燃焼発生時の燃焼室内の圧力の変動幅が小さくなり、不整燃焼により発生する振動が低減される。
【００１３】
また、排気制御弁の弁体が後退位置を占めて、排気ポートの開時期が最大早め時期に設定されているときは、制御面の下縁部が排気ポートの上縁部と略一致するため、弁体と排気ポートとによりデッドスペースが形成されることはなく、ピストンの下降行程での排気および掃気作用により既燃ガスの排出が円滑にかつ確実に行われる。
【００１４】
その結果、排気制御弁により排気ポートの開時期が最大遅れ時期を含む遅れ時期に設定されているとき、シリンダ孔内の下側制御面部付近の既燃ガスの残留量が減少して、不整燃焼の発生が抑制されて、燃焼安定性が改善され、不整燃焼の発生期間が短縮される。これにより、不整燃焼期間中の失火により排出される未燃焼ガスの総量が減少するので、燃費および排気エミッションが改善される。また、不整燃焼発生時の燃焼室内の圧力変動幅が小さくなるので、不整燃焼に起因する振動が低減される。さらに、排気制御弁により排気ポートの開時期が最大早め時期に設定されているときは、排気ポートから円滑にかつ確実に既燃ガスが排出されるので、高い機関出力が得られる。
【００１５】
請求項２記載の発明は、請求項１記載の２サイクル内燃機関の排気制御装置において、前記最上部は前記排気ポートの周方向の中央寄りに位置し、前記連通路は、互いに独立した１対の貫通孔からなる１対の連通路であり、前記一端部は、前記排気ポートの周方向の両側縁部寄りの前記下側制御面部における両周端側縁部の近傍にそれぞれ開口するものである。
【００１６】
この請求項２記載の発明によれば、請求項１記載の発明の作用のほか、互いに独立した１対の貫通孔からなる１対の連通路の両一端部がそれぞれ開口する下側制御面部における両周端側縁部付近の下方部では、下降行程にあるピストンにより、排気ポートの中央寄りにある下縁部の最上部での排気ポートの開き時期よりも遅れて排気ポートが開かれると共に、両周端側縁部は排気ポートの周方向の側縁部寄りに位置する。そのため、シリンダ孔内でガスの流動性が比較的小さい部分となる両周端側縁部付近に存在する既燃ガスが、両連通路を通じて、従来技術に比べて早い時期に、しかも連通路を流れる流量分だけ多く、排気通路に流出するため、シリンダ孔内で排気ポートの中央を中心にして周方向の幅広い範囲に含まれる部分で、しかもシリンダ孔内でガスの流動性が比較的小さい部分で、排気および掃気作用が改善されて、シリンダ孔内で既燃ガスの残留量が減少し、不整燃焼の発生が効果的に抑制される。
【００１７】
その結果、シリンダ孔内で排気ポートの中央を中心にして周方向の幅広い範囲に含まれる部分で、しかもシリンダ孔内でガスの流動性が比較的小さい部分で、既燃ガスの残留量が減少するので、請求項１記載の発明の効果のうち、不整燃焼の発生が効果的に抑制されて、燃焼安定性が改善され、不整燃焼の発生期間が短縮される。
【００１８】
【発明の実施の形態】
以下、本願発明の実施例を図１ないし図５を参照して説明する。
図１は、本願発明の排気制御装置を有する２サイクル内燃機関の図２のＩ−Ｉ線断面図、図２は、図１のＩＩ−ＩＩ線断面図、図３は、シリンダの図２のＩＩＩ−ＩＩＩ線断面図、図４は、図２のＩＶ−ＩＶ線断面図、図５は、排気制御装置を備えたアイドル状態にある２サイクル内燃機関に対して、アイドル開度にあるスロットル弁の開弁開始直後からの燃焼室内の圧力変化を示すグラフである。
【００１９】
なお、この明細書において、「上」および「下」は、便宜上、図１における「上」および「下」をそれぞれ意味し、例えば、シリンダの上側は、シリンダのシリンダヘッド側を意味し、シリンダの下側は、シリンダのクランクケース側を意味する。また、「軸方向」とは、シリンダ孔の軸線の方向を意味し、「周方向」とは、シリンダ孔の軸線を中心としたときの円周の方向を意味する。
【００２０】
図１ないし図３を参照すると、２サイクル内燃機関１は、自動２輪車等の車両に搭載される単気筒の水冷式内燃機関であり、クランクケース２と、クランクケース２の上端面に組み付けられたシリンダ３と、シリンダ３の上端面に組み付けられたシリンダヘッド４とを備える。シリンダ３のシリンダ孔５内に摺動自在に嵌合されて往復動自在とされたピストン６が、クランクケース２に収容されて回動自在に支持されたクランク軸７にコンロッド８を介して連接される。シリンダヘッド４には、燃焼室９に臨む点火栓10が螺着される。
【００２１】
シリンダ３には、シリンダ孔５の周壁面5aに開口してピストン６により開閉される１対の排気ポート12，13を有する排気通路11、シリンダ孔５の周壁面5aに開口してピストン６により開閉される複数の掃気ポート15を有する掃気通路14および冷却水ジャケット16が、それぞれ形成される。冷却水ジャケット16は、シリンダヘッド４に形成された冷却水ジャケット17に連通している。
【００２２】
図示されない気化器から供給された混合気は、リードバルブ18を介してクランクケース２内に吸入された後、クランクケース２内で圧縮され、掃気通路14を経て掃気ポート15から、シリンダ孔５の周壁面5aの、排気ポート12，13とは径方向で反対側の部分を指向してシリンダ孔５内に流入する、いわゆるシュニューレ掃気方式で掃気を行う。
【００２３】
シリンダ３には、１対の排気ポート12，13の間を軸方向に延びる補強壁19が一体に形成され、両排気ポート12，13は、補強壁19の中心を通る軸方向の直線に対して略対称な形状をしている。また、両排気ポート12，13よりも下流側の排気通路11の上部通路壁を形成するシリンダ３の部分には、排気制御装置の一部を構成する排気制御弁20が配設される。この排気制御弁20は、図２および図３に図示されるように、補強壁19を挟むように両側に配置された１対の弁体21，22と、これら弁体21，22のボス部21a，22aの軸孔に貫挿される弁軸23とから構成される。
【００２４】
各弁体21，22は、シリンダ孔５寄りに位置する制御部21b，22bが連結部21c，22cを介してボス部21a，22aに連なる一体成形された部材からなり、各制御部21b，22bは、連結部21c，22cに対して突条となる形状をしていて、補強壁19を中心として連結部21c，22cよりも周方向に延びており、しかもシリンダ孔５の周壁面5aに略連続すると共に略同一の曲率を有する円弧面に形成された制御面24，25を有する。そして、両制御面24，25は、補強壁19の中心を通る軸方向の直線に対して、略対称な形状をしている。
【００２５】
補強壁19の背後に位置する弁軸23は、その両端部が２個のブッシュ26およびボールベアリング27によりそれぞれ支承されて、シリンダ３に回動自在に支持され、シリンダ孔５の軸線Ｌに直交する平面上にある回動中心線、この実施例ではクランク軸７の回転軸線と略平行な回動中心線を有する。そして、弁軸23の中間部は、図１に図示されるように、断面正方形状の角軸23aに形成され、両弁体21，22のボス部21a，22aの断面正方形状の軸孔が、この角軸23aに嵌合され、各ボス部21a，22aの隣接する端部同士が当接した状態で、弁軸23の軸方向に直列に嵌合される。これにより、両弁体21，22と弁軸23とが回動中心線の回りに一体な動きをするようにされる。
【００２６】
さらに、排気制御装置の一部を構成する駆動機構28は、弁軸23を回動させると同時に、該弁軸23と一体となった動きをする排気制御弁20の両弁体21，22を、弁軸23の回動中心線を揺動中心線として揺動させる。すなわち、駆動機構28は、クランク軸７に駆動連結されて、クランク軸７の回転数に対応して作動される遠心ガバナ（図示されず）と該遠心ガバナの動きを伝達するレバー・リンク機構（図示されず）とを備え、レバー・リンク機構が、弁軸23のボールベアリング27より外方に突出する部分に連動連結されて、該レバー・リンク機構により弁軸23が回動される。
【００２７】
そして、駆動機構28により、両弁体21，22は、給気量が少ない機関運転時での位置であって、図１および図３に図示される排気通路11内に最も突出した最大突出位置と、給気量が多い機関運転時での位置であって、排気通路11内で最も後退した後退位置（図３において、該後退位置での制御面24，25が二点鎖線で示される）との間で揺動自在とされ、これによって、排気制御弁20は、排気ポート12，13の開閉時期の制御を行う。そして、両弁体21，22が後退位置を占めるとき、それら弁体21，22は、シリンダ３の、排気通路11の上部通路壁を形成している部分に形成された凹部からなる収納室29に収納される。この収納室29は、図２に図示されるように、制御部21b，22bの背後で、制御部21b，22bの制御面24，25とは径方向で反対側の面となる制御部21b，22bの背面31，32が臨む背後空間30を形成しており、この背後空間30が排気通路11の一部を形成する。
【００２８】
ここで、両排気ポート12，13および両弁体21，22についてさらに説明する。
図３に図示されるように、各排気ポート12，13の上縁部12a，13aは、ピストン６に装着されたピストンリングに対する当たりを緩和するために、排気ポート12，13の、補強壁19により形成される中央縁部12b，13b寄りの部分が、排気ポート12，13の周方向の側縁部12c，13c寄りの部分よりも上方に位置していて、全体として補強壁19から周方向に離れるにつれて下方に傾斜している。そして、該側縁部12c，13cは、周方向で最も排気ポート12，13寄りの掃気ポート15の近傍に位置している。一方、各制御面24，25は、上縁部24a，25a、下縁部24b，25bおよび周方向の両側縁部とを有し、両側縁部は、それぞれ、１対の排気ポート12，13の中央である補強壁19に隣接する中央側縁部24c，25cと、その反対側の側縁である周端側縁部24d，25dとからなる。
【００２９】
そして、各弁体21，22が前記最大突出位置を占めるとき、下縁部24b，25bは最上部24b1，25b1と下方部24b2，25b2とに分けることができ、最上部24b1，25b1は、中央側縁部24c，25cの下部において、補強壁19に隣接して下縁部24b，25bのうち最も上方に位置する部分であり、下方部24b2，25b2は、周端側縁部24d，25dの下部が最も下方に位置し、最上部24b1，25b1から周端側縁部24d，25dに向かうにつれて下方に傾斜している。さらに、このとき、制御面24，25の下縁部24b，25bは、排気ポート12，13の上縁部12a，13aよりも下方に位置する一方、制御面24，25の上縁部24a，25aは排気ポート12，13の上縁部12a，13aよりも上方に位置するため、制御面24，25は、シリンダ孔５を臨む位置に移動可能であり、その位置を占めたとき、排気ポート12，13の上部である上側ポート部12d，13dを閉じる。
【００３０】
そして、各弁体21，22が後退位置を占めるとき、制御面24，25の下縁部24b，25bと排気ポート12，13の上縁部12a，13aとが軸方向において略一致する位置を占めるように、下縁部24b，25bおよび上縁部12a，13aが略一致する形状に形成される。さらに、各制御部21b，22bの底面21b1，22b1は、略平面状とされて、各排気ポート12，13の上縁部12a，13aから排気通路11の下流に向かって上縁部12a，13aと制御部21b，22bの底面21b1，22b1とが略連続した面を形成するようにされる。
【００３１】
さらに、各弁体21，22には、シリンダ孔５内と排気通路11とを連通する貫通孔からなる連通路33，34が設けられ、これら互いに独立した１対の貫通孔からなる１対の連通路33，34は、補強壁19の中心を通る軸方向の直線に対して、略対称な位置にある。そして、各弁体21，22が前記最大突出位置を占めるとき、各連通路33，34の一端部であるシリンダ孔側開口部33a，34aは、図３にラインＡで示される最上部24b1，25b1の位置よりも下方に位置する制御面24，25の部分である下側制御面部24e，25eに開口し、連通路33，34の他端部である排気通路側開口部33b，34bは、図２および図４に図示されるように、各制御部21b，22bの背面31，32に開口しており、排気通路側開口部33b，34bが排気通路11の一部である背後空間30に直接開放されている。しかも、各シリンダ孔側開口部33a，34aは、下側制御面部24e，25eにおいて、排気ポート12，13の周方向の両側縁部12c，13c寄りに位置する周端側縁部24d，25dの近傍に設けられ、両連通路33，34のシリンダ孔側開口部33a，34aがピストン６により開かれたとき、下縁部24b，25bの最上部24b1，25b1付近において既に開かれている排気ポート12，13と両連通路33，34とにより、周方向の広い範囲に含まれる部分で、既燃ガスの排出が行われるようにする。また、両連通路33，34のシリンダ孔側開口部33a，34aは、掃気ポート15の最も上方に位置する上縁部よりもやや上方に位置する。
【００３２】
また、各連通路33，34のシリンダ孔側開口部33a，34aの周方向位置およびラインＡからの軸方向位置、さらには各連通路33，34の流路断面積および通路の断面形状等は、実験等により最適なものに設定される。
【００３３】
次に、前述のように構成された実施例の作用について説明する。
内燃機関１が運転されて、その回転数が低回転域の第１所定回転数以下のとき、遠心ガバナは低回転側の規定位置に留まって、レバー・リンク機構が作動しないため、駆動機構28が作動せず、排気制御弁20の両弁体21，22は、前記最大突出位置を占める。このとき、両制御面24，25は、シリンダ孔５に臨んで両排気ポート12，13の上側ポート部12d，13dをそれぞれ閉じ、両排気ポート12，13の開時期は、それぞれ両制御面24，25の下縁部24b，25bにより最大遅れ時期に設定され、同時に、両排気ポート12，13の閉時期が最も早い時期に設定される。
【００３４】
そして、排気制御弁20の両弁体21，22が前記最大突出位置を占めているとき、下側制御面部24e，25eにおいて、１対の連通路33，34のシリンダ孔側開口部33a，34aがそれぞれ開口する両周端側縁部24d，25d付近の下方部24b2，25b2では、下降行程にあるピストン６により、１対の排気ポート12，13の中央寄りにある下縁部24b，25bの最上部24b1，25b1での排気ポート12，13の開き時期よりも遅れて排気ポート12，13が開かれる。そして、シリンダ孔５内において両周端側縁部24d，25d付近は、排気ポート12，13の周方向の側縁部12c，13c寄りに位置していて、しかも該側縁部12c，13cは、掃気通路14からの新気（混合気）が、排気ポート12，13とは径方向で反対側の部分を指向してシリンダ孔５内に流入する掃気ポート15の近傍の周壁面5aに位置することから、シリンダ孔５内でガスの流動性が比較的小さい部分となるが、両周端側縁部24d，25dの近傍にそれぞれ設けられた両連通路33，34を通じてこの付近に存在する既燃ガスが、前記従来技術に比べて早い時期に、しかも両連通路33，34を流れる流量分だけ多く排気通路11に流出する。そのため、シリンダ孔５内で１対の排気ポート12，13の中央を中心にして周方向の幅広い範囲に含まれる部分で、しかもシリンダ孔５内でガスの流動性が比較的小さい部分で、排気作用が改善され、さらに引き続いて行われる掃気作用も改善されて、シリンダ孔５内で既燃ガスの残留量が減少し、図５の実線で示されるように、不整燃焼の発生が抑制され、その発生期間Ｔが短縮される。
【００３５】
そして、不整燃焼が生じた場合にも、失火の際にシリンダ孔５内に残留する未燃焼ガス（混合気）の量も、両連通路33，34から排気通路11に流出する分減少するため、次のサイクルにおいて、残留未燃焼ガス量と新たに流入した新気量との合計であるシリンダ孔５内に存在する給気量は、前記従来技術のそれよりも少なくなって、燃焼圧力が低くなるので、図５の実線で示されるように、不整燃焼時の燃焼室９内の圧力の変動幅Ｈが小さくなり、不整燃焼により発生する振動が低減される。
【００３６】
そして、内燃機関１の回転数が上昇して第１所定回転数を越えると、作動を開始した遠心ガバナに連動してレバー・リンク機構が作動し、駆動機構28が作動して、両弁体21，22は、次第に上方に揺動し、より小さい突出量で排気通路11内に突出した状態となって、前記最大突出位置と前記後退位置との中間位置としての中間突出位置を占め、排気ポート12，13の開き時期が次第に早められる。
【００３７】
このときは、排気制御弁20の両弁体21，22が前記最大突出位置を占めている状態から上方に揺動して、連通路33，34のシリンダ孔側開口部33a，34aが、排気ポート12，13の上縁部12a，13aが形成されたシリンダ３により全閉とされるまでの間であって、排気ポート12，13の開時期が最大早め時期に比べて遅れ時期に設定されている間は、両弁体21，22が前記最大突出位置を占めるときに比べて、ピストン６の下降行程のより早い時期に、１対の排気ポート12，13の中央寄りおよび両連通路33，34を介しての既燃ガスの流出が、前述の両弁体21，22が前記最大突出位置を占める状態でのそれと同様の形態で行われるため、不整燃焼の発生が効果的に抑制されると共に、不整燃焼により発生する振動が低減される。
【００３８】
さらに、内燃機関１の回転数が高回転域の第２所定回転数に達すると、遠心ガバナは高回転側の規定位置でその動作が停止されて該規定位置に留まり、レバー・リンク機構の動きも停止されて、このような状態にある駆動機構28により、排気制御弁20の両弁体21，22が、収納室29に収納される前記後退位置を占め、第２所定回転数を越える回転数でこの後退位置を維持する。このとき、両制御面24，25の下縁部24b，25bは、排気ポート12，13の上縁部12a，13aと略一致する位置を占め、両排気ポート12，13の開時期は、排気ポート12，13の上縁部12a，13aにより最大早め時期に設定され設定され、同時に、両排気ポート12，13の閉時期が最も遅い時期に設定される。
【００３９】
そして、排気制御弁20の弁体21，22が前記後退位置を占めているとき、制御面24，25の下縁部24b，25bが排気ポート12，13の上縁部12a，13aと略一致するため、弁体21，22と排気ポート12，13とによりデッドスペースが形成さることがなく、ピストン６の下降行程での排気および掃気作用により既燃ガスの排出が円滑に行われる。なお、この状態では、両連通路33，34のシリンダ孔側開口部33a，34aはシリンダ３により全閉されており、両連通路33，34からのガスの流出は殆どない。
【００４０】
この実施例は、前述のように構成されているので、次の効果が奏される。
排気制御弁20により排気ポート12，13の開時期が最大遅れ時期を含む遅れ時期に設定されているとき、シリンダ孔５内で１対の排気ポート12，13の中央を中心にして周方向の幅広い範囲に含まれる部分で、しかもシリンダ孔５内でガスの流動性が比較的小さい部分で、既燃ガスの残留量が減少するので、結果として、シリンダ孔５内の既燃ガスの残留量が減少して、不整燃焼の発生が効果的に抑制されて、燃焼安定性が改善され、不整燃焼の発生期間が短縮される。
【００４１】
これにより、不整燃焼期間中の失火により排出される未燃焼ガスの総量が減少するので、燃費および排気エミッションが改善される。また、不整燃焼発生時の燃焼室９内の圧力変動幅が小さくなるので、不整燃焼に起因する振動が低減される。さらに、排気制御弁20により排気ポート12，13の開時期が最大早め時期に設定されているときは、排気ポート12，13から円滑にかつ確実に既燃ガスが排出されるので、高い機関出力が得られる。
【００４２】
以下、前述した実施例の一部の構成を変更した実施例について、変更した構成に関して説明する。
前記実施例では、各連通路33，34のシリンダ孔側開口部33a，34aは、下側制御面部24e，25eにおいて両周端側縁部24d，25dの近傍に設けられたが、下側制御面部24e，25eであれば、周端側縁部24d，25dの近傍以外の位置であってもよい。その場合にも、排気制御弁20の弁体21，22が前記最大突出位置を占めている状態から排気ポート12，13の上縁部12a，13aにより連通路33，34のシリンダ孔側開口部33a，34aが全閉されるまでの間であって、排気ポート12，13の開時期が最大遅れ時期を含む遅れ時期に設定されている間は、下側制御面部24e，25eにおいてシリンダ孔側開口部33a，34a付近の下縁部24b，25bの下方部24b2，25b2では、下降行程にあるピストン６により、下縁部24b，25bの最上部24b1，25b1での排気ポート12，13の開き時期よりも遅れて排気ポート12，13が開かれる。そのため、シリンダ孔５内の、下側制御面部24e，25e付近に存在する既燃ガスが、該連通路33，34を通じて、前記従来技術に比べて早い時期に、しかも両連通路33，34を流れる流量分だけ多く排気通路11に流出する。それゆえ、シリンダ孔５内で下側制御面部24e，25e付近で排気および掃気作用が改善されて、シリンダ孔５内で既燃ガスの残留量が減少し、不整燃焼の発生が抑制されて、燃焼安定性が改善され、不整燃焼の発生期間が短縮される。そして、前記実施例の効果と同様に、燃費および排気エミッションが改善され、また不整燃焼に起因する振動が低減され、さらに排気ポート12，13の開時期が最大早め時期に設定されているときは高い機関出力が得られる。
【００４３】
前記実施例では、連通路33，34は、各弁体21，22に１個ずつ設けられたが、一つの弁体21，22当たり複数の連通路を設けるようにしてもよい。さらに、連通路33，34は、貫通孔からなるものであったが、弁体21，22の周端側縁部24d，25dに設けられた溝であってもよい。また、連通路33，34の排気通路側開口部33b，34bは、制御部21b，22bの背面31，32に設けられたが、制御部21b，22bの底面21b1，22b1に開口するようにして、連通路を排気通路11に直接開放させてもよい。
【００４４】
前記実施例では、排気ポート12，13および排気制御弁20の弁体21，22は、それぞれ１対のものであったが、単一の排気ポートおよび単一の弁体とすることもできる。また、排気制御弁20による排気ポートの開閉時期の制御は、機関運転状態の一つである回転数に応じて行われたが、機関運転状態として、機関負荷、または回転数および機関負荷に応じて、排気制御弁20による排気ポートの開閉時期の制御を行うこともできる。
【図面の簡単な説明】
【図１】本願発明の排気制御装置を有する２サイクル内燃機関の図２のＩ−Ｉ線断面図である。
【図２】図１のＩＩ−ＩＩ線断面図である。
【図３】シリンダの図２のＩＩＩ−ＩＩＩ線断面図である。
【図４】図２のＩＶ−ＩＶ線断面図である。
【図５】排気制御装置を備えたアイドル状態にある２サイクル内燃機関に対して、アイドル開度にあるスロットル弁の開弁開始直後からの燃焼室内の圧力変化を示すグラフである。
【図６】従来技術の２サイクル内燃機関の排気制御装置を説明する断面図である。
【符号の説明】
１…内燃機関、２…クランクケース、３…シリンダ、４…シリンダヘッド、５…シリンダ孔、5a…周壁面、６…ピストン、７…クランク軸、８…コンロッド、９…燃焼室、10…点火栓、11…排気通路、12，13…排気ポート、12a，13a…上縁部、12c，13c…側縁部、12d，13d…上側ポート部、14…掃気通路、15…掃気ポート、16，17…冷却水ジャケット、18…リードバルブ、19…補強壁、20…排気制御弁、21，22…弁体、23…弁軸、24，25…制御面、24b，25b…下縁部、24b1，25b1…最上部、24b2，25b2…下方部、24d，25d…周端側縁部、24e，25e…下側制御面部、26…ブッシュ、27…ボールベアリング、28…駆動機構、29…収納室、30…背後空間、31，32…背面、33，34…連通路、33a，34a，33b，34b…開口部、Ａ…ライン、Ｌ…軸線。
【図１】
0003865195.tif 000002
【図２】
0003865195.tif 000003
【図３】
0003865195.tif 000004
【図４】
0003865195.tif 000005
【図５】
0003865195.tif 000006
【図６】
0003865195.tif 000007